(57)【要約】  【課題】特定の者が自らの権限レベル以上に設定されたボックスファイルを外部に取り出すと警報装置が起動するとともに、その持ち出し状況を個人ＩＤとともに記録する態様において、収納空間内のボックスファイルから書類だけを外部に抜き出した場合に、警報装置や記録装置が作動せず、機密漏洩に問題が生じる不具合の発生を防ぐ。  【解決手段】収納空間ＳＡ、ＳＢに挿脱可能に収納されるボックスファイルＦに、被収納物を収容するファイル本体２と、このファイル本体２を前記収納空間ＳＡ、ＳＢから取り出さない限り前記被収容物を該ファイル本体外２に取り出すことができないように制限をかける取出制限手段たる蓋体３とを具備させる。  【選択図】図２
2006103097.tif 000002
【特許請求の範囲】
【請求項１】
収納空間に挿脱可能に収納されるボックスファイルであって、
被収納物を収容するファイル本体と、このファイル本体を前記収納空間から取り出さない限り前記被収容物を該ファイル本体外に取り出すことができないように制限をかける取出制限手段とを具備してなることを特徴とするボックスファイル。
【請求項２】
ファイル本体が、開口部を有したものであり、取出制限手段が、ファイル本体の開口部に蓋体を開閉可能に設け、この蓋体の開成を収納空間の天井により阻害しうるように前記ファイル本体の高さ寸法を設定したものであることを特徴とする請求項１記載のボックスファイル。
【請求項３】
ファイル本体が、上面開口部と、この上面開口部に連続させて一側面上部に形成した側面開口部とを備えたものであり、蓋体が、前記側面開口部の下辺に蝶設された側面開口部閉止用の基端蓋片と、この基端蓋片に連続させて設けた上面開口部閉止用の中間蓋片と、この中間蓋片に連続させて設けられ中間蓋片が側方に移動するのを防止する機能又は中間蓋片が側方に移動した場合にファイル本体の上面開口部を閉塞する機能を備えた先端蓋片とを具備してなることを特徴とする請求項２記載のボックスファイル。
【請求項４】
ファイル本体の奥行き方向の内法寸法と、高さ方向の内法寸法とを、特定の規格用紙の長手方向の寸法にそれぞれ対応させてあることを特徴とする請求項１、２又は３記載のボックスファイル。
【請求項５】
規格用紙がＡ４サイズの用紙であることを特徴とする請求項１、２、３又は４記載のボックスファイル。
【請求項６】
ファイル本体が開口部を有したものであり、取出制限手段が、ファイル本体の開口部に開閉可能に設けた蓋体と、ファイル本体が収納空間内に位置している場合に限り前記蓋体を閉止位置にロックするロック機構とを具備することを特徴とする請求項１記載のボックスファイル。
【請求項７】
前記収納空間から取り出されたことを検知するためのＩＣタグを有することを特徴とする請求項１、２、３、４、５又は６記載のボックスファイル。
【請求項８】
前記ＩＣタグをファイル本体の底壁の内面に配置しているとともに、ファイル本体の内部に、前記ＩＣタグと被収容物とを離間させるための上げ底部材を設けていることを特徴とする請求項７記載のボックスファイル。
【発明の詳細な説明】
【技術分野】
【０００１】
本発明は、収納空間に挿脱可能に収納され、被収納物を収容する機能を有するボックスファイルに関する。
【背景技術】
【０００２】
近時、社内等に保管している機密情報の外部漏洩が社会問題となっており、その対策に大きな関心が払われている。
【０００３】
その対策の一つとして、所定の収納空間に機密書類を収容したボックスファイル等を保管できるようにした収納庫において、前記ボックスファイル等の持ち出しを権限のある者に限定するための警報装置や利用状況記録装置等を設置する試みがなされている。
【０００４】
具体的には、例えば、個人ＩＤや当該個人のアクセスレベルを記録したＩＣカードを用いて収納庫の扉を開くことができるようにしておくとともに、その収納庫内に種々のアクセスレベルを有したボックスファイルを収容しておき、扉を開いた者が必要なボックスファイルを収納空間から外部に取り出して利用することができるようにしたものが開発されている。しかして、かかる収納庫では、各ボックスファイルに非接触式ＩＣタグ等を設けておき、特定の者が自らの権限レベル以上に設定されたボックスファイルを外部に取り出すと警報装置が起動するとともに、その持ち出し状況を個人ＩＤとともに記録するようにしてあり、それによって、権限レベルに応じた機密情報以外の情報を外部に持ち出せないようにしたものが考えられている。（例えば特許文献１参照。）
【特許文献１】特願２００４−２５４９５６号
【発明の開示】
【発明が解決しようとする課題】
【０００５】
特許文献１記載の構成では、権限のない者がボックスファイルを外部に取り出すことを防ぐことができる。しかし、ボックスファイルを収納空間の外部から取り出さず、収納空間の天井とボックスファイルとの間の隙間に手を入れて、ボックスファイル内から書類だけを外部に抜き出した場合には、警報装置や記録装置が作動せず、機密漏洩に問題が生じる。そのため、何らかの対策が望まれている。
【０００６】
本発明は、このような課題を解決すべく構成するものである。
【課題を解決するための手段】
【０００７】
すなわち、本発明に係るボックスファイルは、収納空間に挿脱可能に収納されるものであって、被収納物を収容するファイル本体と、このファイル本体を前記収納空間から取り出さない限り前記被収容物を該ファイル本体外に取り出すことができないように制限をかける取出制限手段とを具備してなることを特徴とする。
【０００８】
このようなものであれば、取出制限手段によりファイル本体を前記収納空間から取り出さない限り前記被収容物を該ファイル本体外に取り出すことができないように制限をかけているので、ボックスファイルから被収容物だけを前記被収納空間の外部に抜き出されて情報漏洩が生じる不具合の発生を防ぐことができる。そして、特定の者が自らの権限レベル以上に設定されたボックスファイルを外部に取り出すと警報装置が起動するとともに、その持ち出し状況を個人ＩＤとともに記録する態様と併用すれば、機密書類の管理を寄り完全に行うことができる。
【０００９】
このような取出制限手段を簡単に実現できる構成の一例として、ファイル本体が、開口部を有したものであり、取出制限手段が、ファイル本体の開口部に蓋体を開閉可能に設け、この蓋体の開成を収納空間の天井により阻害しうるように前記ファイル本体の高さ寸法を設定したものであるものが挙げられる。前記ファイル本体の高さ寸法が大きく、前記ファイル本体と収納空間の天井との間の空間が小さいものであれば、前記空間に手を入れて、あるいはボックスファイルを倒して蓋体にアクセスし蓋体を開成することを規制できるからである。
【００１０】
前段で述べた蓋体の具体的な構成の一例として、ファイル本体が、上面開口部と、この上面開口部に連続させて一側面上部に形成した側面開口部とを備えたものであり、蓋体が、前記側面開口部の下辺に蝶設された側面開口部閉止用の基端蓋片と、この基端蓋片に連続させて設けた上面開口部閉止用の中間蓋片と、この中間蓋片に連続させて設けられ中間蓋片が側方に移動するのを防止する機能又は中間蓋片が側方に移動した場合にファイル本体の上面開口部を閉塞する機能を備えた先端蓋片とを具備してなるものが挙げられる。このようなものであれば、先端蓋片が例えば収納空間の天井に当接して中間蓋片が側方に移動するのを防止し、又は中間蓋片が側方に移動した際に代わって先端蓋片がファイル本体の上面開口部を閉塞することにより、上面開口部が引き続き閉塞された状態を維持することができる。
【００１１】
このようなボックスファイルを利用する際の自由度を向上させることができる態様として、ファイル本体の奥行き方向の内法寸法と、高さ方向の内法寸法とを、特定の規格用紙の長手方向の寸法にそれぞれ対応させてあるものが挙げられる。このようなものであれば、前記特定の規格用紙を縦向きにも横向きにも収納することができるからである。
【００１２】
前段で述べた効果を好適に得るための態様として、規格用紙がＡ４サイズの用紙であるものが挙げられる。各種文書にはＡ４サイズの用紙が最も頻繁に用いられているからである。
【００１３】
また、取出制限手段の構成の他の一例として、ファイル本体が開口部を有したものであり、取出制限手段が、ファイル本体の開口部に開閉可能に設けた蓋体と、ファイル本体が収納空間内に位置している場合に限り前記蓋体を閉止位置にロックするロック機構とを具備するものが挙げられる。このようなものであっても、ファイル本体が収納空間内に位置している場合、ロック機構により前記蓋体が閉止位置にロックされるので、上面開口部から被収容物を抜き出して収納空間外に持ち出される不具合の発生を防ぐことができる。
【００１４】
個人ＩＤや当該個人のアクセスレベルを記録したＩＣカードを用いて収納空間と外部空間との間の扉を開くことができるようにするとともに、特定の者が自らの権限レベル以上に設定されたボックスファイルを外部に取り出すと警報装置が起動し、その持ち出し状況を個人ＩＤとともに記録する態様に好適な構成として、前記収納空間から取り出されたことを検知するためのＩＣタグを有するものが挙げられる。このようなものであれば、例えばＩＣタグにファイル識別子を記憶しておき、このファイル識別子と前記個人ＩＤや当該個人のアクセスレベルとを照合して、ＩＣタグを付されたボックスファイルの権限レベルが前記当該個人の権限レベル以上であるか否かを判定できるからである。
【００１５】
特に、前記ＩＣタグをファイル本体の底壁の内面に配置しているとともに、ファイル本体の内部に、前記ＩＣタグと被収容物とを離間させるための上げ底部材を設けているものであれば、前記ＩＣタグをファイル本体の底壁の内面に配置して前記ＩＣタグの存在を目立たないようにしつつ、前記上げ底部材により前記ＩＣタグと被収容物とを離間させることで被収容物が金属製のものであっても被収容物と前記ＩＣタグとの干渉により前記ＩＣタグが機能しなくなる不具合の発生を防ぐことができる。
【発明の効果】
【００１６】
本発明に係るボックスファイルでは、ファイル本体を前記収納空間から取り出さない限り、取出制限手段により被収容物を該ファイル本体外に取り出すことが規制されるので、ボックスファイルから被収容物だけを前記被収納空間の外部に抜き出されて情報漏洩が生じる不具合の発生を防ぐことができる。
【発明を実施するための最良の形態】
【００１７】
以下、本発明の一実施形態について図面を参照して説明する。
【００１８】
本実施形態に係るボックスファイルＦは、図１に斜視図、図２に正面図をそれぞれ示すように、棚Ｃに設けた収納庫１Ａ、１Ｂの内部に形成した収納空間ＳＡ、ＳＢに挿脱可能に収納される。
【００１９】
この収納庫１Ａ、１Ｂは、個人ＩＤを記録した図示しないＩＣカードを収納庫１ＡのＩＣカード挿入口１Ａ２への挿入を受け付け、扉１Ａ１、１Ｂ１を開くようにしてある。
【００２０】
また、前記収納庫１Ａ、１Ｂには、前記ボックスファイルＦに設けたＩＣタグ４に記憶しているファイル識別子を読み取るＩＣタグ読取装置（図示略）、前記ＩＣカードに記憶している個人ＩＤを読み取るＩＣカード読取装置（図示略）、ＣＰＵ（図示略）、内部メモリ（図示略）、及び警報装置（図示略）を備えているとともに、前記内部メモリの一部領域を、個人ＩＤと権限レベルとを対応付けて記憶している個人権限情報記憶要素（図示略）、及びファイル識別子と権限レベルとを対応付けて記憶しているファイル権限情報記憶要素（図示略）として形成している。そして、前記内部メモリの一部領域に記憶した制御プログラムを前記ＣＰＵが実行することにより、前記ＩＣタグ読取装置が読み取ったファイル識別子に対応する権限レベルが前記ＩＣカード読取装置が読み取った個人ＩＤに対応する権限レベル以上であるか否かを照合する権限照合手段（図示略）、権限照合手段により前記ファイル識別子に対応する権限レベルが前記個人ＩＤに対応する権限レベル以上である場合に警報装置を起動させる警報手段（図示略）、及びファイル識別子を個人ＩＤとともに記録する持ち出し状況記録手段（図示略）として機能するようにしている。
【００２１】
この収納庫１Ａ、１Ｂは、ＩＣカードを収納庫１ＡのＩＣカード挿入口１Ａ２への挿入を受け付けると、前記ＩＣカード読取装置が個人ＩＤを読み取り、扉１Ａ１、１Ｂ１を開く。次いで、ボックスファイルＦが取り出された際にＩＣタグ読取装置が該ボックスファイルＦに設けたＩＣタグ４に記憶しているファイル識別子を読み取る。そして、権限照合手段により前記ＩＣタグ読取装置が読み取ったファイル識別子に対応する権限レベルが前記ＩＣカード読取装置が読み取った個人ＩＤに対応する権限レベル以上であるか否かを照合し、この照合の結果が「真」であれば警報手段により警報装置を起動させるとともに、持ち出し状況記録手段によりファイル識別子を個人ＩＤとともに記録するようにしている。
【００２２】
一方、ボックスファイルＦは、具体的には、上面開口部２ａと、この上面開口部２ａに連続させて一側面上部に形成した側面開口部２ｂとを備え、書類等の被収納物を収容するファイル本体２と、前記上面開口部２ａ及び側面開口部２ｂに開閉可能に設けている蓋体３と、前記収納空間ＳＡ、ＳＢから取り出されたことを検知するためのＩＣタグ４とを有する。ここで、このボックスファイル２の前記上面開口部２ａ及び側面開口部２ｂを蓋体３により閉止した状態である閉止状態を示す斜視図を図３、前記閉止状態を示す側面図を図４、このボックスファイル２の前記上面開口部２ａ及び側面開口部２ｂを外部空間に開放した状態である開成状態を示す斜視図を図５にそれぞれ示す。
【００２３】
さらに詳述すると、前記ファイル本体２は、前記図３〜図５に示すように、底面を構成する底壁２１と、前面を構成する前壁２２と、背面を構成する背壁２３と、一側面を構成する第１側壁２４と、他側面を構成する第２側壁２５とを有する。また、前記第１側壁２４の上部を切り欠いて前記側面開口部２ｂを形成しているとともに、その上面の全域を開口させて前記上面開口部２ａを形成している。また、このファイル本体２は側面視略正方形をなし、奥行き方向の内法寸法ｄ０、及び高さ方向の内法寸法ｈ０は、特定の規格用紙たるＡ４サイズの用紙Ｐの長手方向の寸法ｈｈにそれぞれ対応させてある。さらに、前壁２２の下部には指等を掛けて収納庫１Ａ、１Ｂから取り出しやすくするための孔２２ａが設けてあるとともに、第２側壁２５の上部にも把手として利用可能な把手孔２５ａが設けてある。
【００２４】
前記蓋体３は、前記図１〜図５に示すように、前記側面開口部２ｂの下辺に蝶設され、該側面開口部２ｂと係合して閉止可能な基端蓋片３１と、この基端蓋片３１に連続させて設けられ、前記前壁２２、前記背壁２３、及び前記第２側壁２５の上端に当接して上面開口部２ａを閉止可能な中間蓋片３２と、この中間蓋片３２に連続させて設けられ、閉止状態において第２側壁２５の側方に位置する先端蓋片３３とを具備する。なお、先端蓋片３３には、閉止状態において前記第２側壁２５の把手孔２５ａと重合する位置に把手として利用可能な把手孔３３ａが設けてあり、閉止状態においてはこれら第２側壁２５及び先端蓋片３３の把手孔２５ａ、３３ａに手などを掛けて取り扱えるようにしている。
【００２５】
前記ＩＣタグ４は、本実施形態では前記図１〜図５に示すように、前記ファイル本体２の前壁２２に設けられ、ボックスファイルＦを識別するファイル識別子を記憶している。そして、ボックスファイルＦを前記収納空間ＳＡ、ＳＢの外部に取り出す際に、該ファイル識別子が上述したように前記収納庫１Ａ、１ＢのＩＣタグ読取装置により読み取られることにより、このボックスファイルＦが前記収納空間ＳＡ、ＳＢの外部に取り出されたことが検知されるようにしている。
【００２６】
しかして本実施形態では、前記蓋体３が、収納庫１Ａ、１Ｂと協働して、このファイル本体を前記収納空間から取り出さない限り前記被収容物を該ファイル本体外に取り出すことができないように制限をかける取出制限手段としての機能を有する。
【００２７】
具体的には、前記図２に示すように複数個のボックスファイルＦを互いに密に隣接させて収納空間ＳＡ、ＳＢに配置させた場合、前記基端蓋片３１及び前記先端蓋片３３は隣接するボックスファイルＦないし収納空間ＳＡ、ＳＢの側壁に当接しているとともに、前記先端蓋片３３は該先端蓋片３３が設けられたボックスファイルＦの第２側壁２５にも当接している。従って、前記基端蓋片３１及び前記先端蓋片３３の外側方への移動は隣接するボックスファイルＦないし収納空間ＳＡ、ＳＢの側壁により規制されるとともに、前記先端蓋片３３にアクセスして操作すること自体も隣接するボックスファイルＦないし収納空間ＳＡ、ＳＢの側壁により規制される。また、前記先端蓋片３３の上方への移動は、先端蓋片３３と隣接するボックスファイルＦないし収納空間ＳＡ、ＳＢの側壁との間の摩擦力、及び先端蓋片３３と第２側壁２５との間の摩擦力により規制される。
【００２８】
加えて、本実施形態では、前記図２に示すように、この蓋体３の開成を収納空間ＳＡ、ＳＢの天井により阻害しうるように前記ファイル本体２の高さ寸法ｈを設定していることにより、取出制限手段としての機能をより効果的に発揮するようにしている。さらに詳述すると、前記ファイル本体２の高さ寸法ｈ１と前記中間蓋片３２の幅寸法ｗとの和が、収納空間ＳＡ、ＳＢの高さ方向の内法寸法ｈ２を上回るようにしているとともに、前記前壁の対角線２２の長さも前記高さ方向の内法寸法ｈ２を上回るようにしている。そして、ボックスファイルＦの上面と収納空間ＳＡ、ＳＢの天井との間の空間に手を入れることを規制すべく、ボックスファイルＦの上面と収納空間ＳＡ、ＳＢの天井との間の空間の高さ寸法が、標準的な体格を有する成人の握り拳を挿入不可能な寸法となるようにしている。
【００２９】
複数個のボックスファイルＦを互いに密に隣接させて収納空間ＳＡ、ＳＢに配置させた場合、ボックスファイルＦを収納空間ＳＡ、ＳＢから取り出すことなく前記上面開口部２ａを開放して被収容物を取り出すには、前記先端蓋片３３にアクセスして操作することが規制されているので、前記中間蓋片３２にアクセスし、この中間蓋片３２を前記基端蓋片３１との境界を中心に回動させることにより蓋体３をファイル本体２の上面開口部２ａ上方から取り除く必要がある。ところが、前記ファイル本体２の高さ寸法ｈ１と前記中間蓋片３２の幅寸法ｗとの和が、収納空間ＳＡ、ＳＢの内法の高さ寸法ｈ２を上回るので、前記中間蓋片３２を上方かつ第１側壁２４側に移動させると該中間蓋片３２の先端が前記収納空間ＳＡ、ＳＢの内法の高さ寸法ｈ２と前記ファイル本体２の高さ寸法ｈ１との差だけ移動した時点で収納空間ＳＡ、ＳＢの天井に当接し、中間蓋片３２のこれ以上の移動が規制される。さらに、この中間蓋片３２に連続させて設けられる前記先端蓋片３３の一部が新たに前記上面開口部２ａの上方に移動する。従って、前記上面開口部２ａは開放されず、前記蓋体３により前記上面開口部２ａを開放することが規制される。
【００３０】
そして、複数個のボックスファイルＦが互いに密に隣接しない状態で収納空間ＳＡ、ＳＢに配置させた場合、また、ボックスファイルＦを１個だけ収納空間ＳＡ、ＳＢに配置させた場合であっても、前記前壁の対角線２２の長さも前記高さ方向の内法寸法ｈ２を上回るようにしているので、ボックスファイルＦを倒して蓋体３にアクセスし蓋体３に折り癖を残すことなく前記上面開口部２ａを開放する操作も規制される。
【００３１】
本実施形態では、以上のように、蓋体３が、ファイル本体２を前記収納空間ＳＡ、ＳＢから取り出さない限り被収容物を該ファイル本体２外に取り出すことができないように制限をかける取出制限手段として機能するので、このファイル本体２から被収容物を該ファイル本体２外に取り出す際に必ずファイル本体２を前記収納空間ＳＡ、ＳＢから取り出してファイル識別子をＩＣタグ４から読み取らせるようにして、権限がない者が被収容物を取り出す際に前記警報手段及び持ち出し状況記録手段を確実に機能させることができる。
【００３２】
また、ファイル本体２が、上面開口部２ａ及び側面開口部２ｂを有したものであり、ファイル本体２のこれら上面開口部２ａ及び側面開口部２ｂを開閉可能なに蓋体３を設け、上述したようにこの蓋体３の開成を収納空間ＳＡ、ＳＢの天井により阻害しうるように前記ファイル本体２の高さ寸法ｈ１を設定して取出制限手段を機能させているので、ファイル本体２に特別な加工を施すことなく簡単な構成で取出制限手段を形成することができる。
【００３３】
さらに、蓋体３が、前記側面開口部２ａの下辺に蝶設され側面開口部２ｂを閉止する機能を有する基端蓋片３１と、この基端蓋片３１に連続させて設けられ上面開口部２ａを閉止する機能を有する中間蓋片３２と、この中間蓋片３２に連続させて設けられ、上述したように複数のファイル本体２を幅方向に密接させて収納空間ＳＡ、ＳＢに配置させた場合に中間蓋片３２が側方に移動するのを防止し、また上述したように中間蓋片３２が側方に移動した場合にファイル本体２の上面開口部２ａを閉塞する機能を備えた先端蓋片３３とを具備するので、簡単な構成でより効果的に取出制限手段を形成し、ファイル本体２を前記収納空間ＳＡ、ＳＢから取り出すことなく被収納物をファイル本体２から取り出すことを防ぐことができる。
【００３４】
そして、ファイル本体２の奥行き方向の内法寸法ｄ０と、高さ方向の内法寸法ｈ０とを、特定の規格用紙たるＡ４サイズの用紙Ｐの長手方向の寸法ｈｈにそれぞれ対応させてあるので、各種文書に最も頻繁に用いられるＡ４サイズの用紙を縦向きにも横向きにも収納することができ、従って利用の際の自由度を向上させることができる。
【００３５】
なお、本発明は以上に述べた実施形態に限られない。
【００３６】
例えば、ファイルボックスにＩＣタグを設けるにあたり、ファイル本体の底壁の内面に設けるようにしてもよい。その際、被収容物が金属部分を有するもの、例えばノートパソコンやデジタルカメラ等である場合に、被収容物の金属部分によりＩＣタグとＩＣタグ読取装置との間の電磁波の送受信が妨害されてＩＣタグが機能しなくなる不具合が生じる場合があるが、本案発明者は、このような不具合の発生を防ぐべく、ファイル本体の内部に、前記ＩＣタグと被収容物とを離間させるための上げ底部材を設ける考え方を案出している。
【００３７】
この考え方を本発明に適用したものとして、図６の（ａ）に正面図、同図の（ｂ）に側面図をそれぞれ示すような、ファイル本体１０２と、蓋体１０３と、ＩＣタグ１０４と、上げ底部材１０５とを有するボックスファイルＦ２が挙げられる。
【００３８】
前記ファイル本体１０２は、上述した実施形態におけるファイル本体２と略同様の構成を有し、底面を構成する底壁１０２１と、前面を構成する前壁１０２２と、背面を構成する背壁１０２３と、一側面を構成する第１側壁１０２４と、他側面を構成する第２側壁１０２５とを有するとともに、前記第１側壁１０２４の上部を切り欠いて形成した側面開口部１０２ｂ、及び上面の全域を開口させて形成した上面開口部１０２ａをさらに有する。
【００３９】
前記蓋体１０３は、前記側面開口部１０２ｂの下辺に蝶設され、該側面開口部１０２ｂと係合して閉止可能な基端蓋片１０３１と、この基端蓋片１０３１に連続させて設けられ、前記前壁１０２２、前記背壁１０２３、及び前記第２側壁１０２５の上端に当接して上面開口部１０２ａを閉止可能な中間蓋片１０３２と、この中間蓋片１０３２に連続させて設けられ、閉止状態において第２側壁１０２５の側方に位置する先端蓋片１０３３とを具備する。
【００４０】
ＩＣタグ１０４は、ファイル本体１０２の底壁１０２１の内面に設けている。
【００４１】
上げ底部材１０５は、ウレタン樹脂により形成され、ファイル本体１０２の内部の底部に設けられてこのファイル本体１０２の内法の下端を構成しているとともに、前記ＩＣタグ１０４と前記ファイル本体１０２に収容される被収容物とを離間させる機能を有する。なお、例えば厚紙を折り曲げて直方体状に形成したもの等を前記上げ底部材１０５に代えてファイル本体１０２の内部の底部に設け、前記ＩＣタグ１０４と前記ファイル本体１０２に収容される被収容物とを離間させる上げ底部材として機能させるようにしてももちろんよい。
【００４２】
また、取出制限手段が、ファイル本体の開口部に開閉可能に設けた蓋体と、ファイル本体が収納空間内に位置している場合に限り前記蓋体を閉止位置にロックするロック機構とを具備する態様を採用してもよい。このような態様の一例として、例えば上述した実施形態における前記ファイル本体と前記蓋体との間に設けられファイル本体の開口部を閉止する閉止位置に蓋体を係止するロック機構と、収納空間からの持ち出しの際にＩＣタグ読取装置が前記ＩＣタグからファイル識別子を読み取るために用いる電磁波を検知する持出し検知装置と、前記持出し検知装置が前記信号を受け取った際にロック機構の係止状態を解除するロック解除手段とを有するものが考えられる。また、持出し検知装置としては、収納空間からの持ち出しの際の振動を検知する振動センサを利用したものも考えられる。
【００４３】
さらに、ファイル本体の奥行き方向の内法寸法及び高さ方向の内法寸法は、Ａ４サイズ以外の特定の規格用紙、例えばＢ５サイズの用紙やレターサイズの用紙の長手方向の寸法に対応させてもよく、あるいは奥行き方向の内法寸法を特定の規格用紙、例えばＡ４サイズの用紙の長手方向の寸法に対応させるとともに高さ方向の内法寸法を該規格用紙の短辺方向の寸法に対応させる態様や、逆に奥行き方向の内法寸法を特定の規格用紙の短辺方向の寸法、高さ方向の内法寸法を該規格用紙の長手方向の寸法に対応させるそれぞれ対応させる態様も考えられる。
【図面の簡単な説明】
【００４４】
【図１】本発明の一実施形態に係るボックスファイルの収納態様を示す斜視図。
【図２】同実施形態に係るボックスファイルの収納態様を示す正面図。
【図３】同実施形態に係るボックスファイルの閉止状態を示す斜視図。
【図４】同実施形態に係るボックスファイルの閉止状態を示す側面図。
【図５】同実施形態に係るボックスファイルの開成状態を示す斜視図。
【図６】本発明の他の実施形態に係るボックスファイルの閉止状態を示す正面図及び側面図。
【符号の説明】
【００４５】
Ｆ、Ｆ２…ボックスファイル
２、１０２…ファイル本体
３、１０３…蓋体
３１、１０３１…基端蓋片
３２、１０３２…中間蓋片
３３、１０３３…先端蓋片
４、１０４…ＩＣタグ
１０５…上げ底部材
ＳＡ、ＳＢ…収納空間
【図１】
2006103097.tif 000003
【図２】
2006103097.tif 000004
【図３】
2006103097.tif 000005
【図４】
2006103097.tif 000006
【図５】
2006103097.tif 000007
【図６】
2006103097.tif 000008